(57)【要約】【課題】乗りかご上に設置された光空間伝送用送受信装置の送受光面が汚れた際に、その清掃方法が簡単なエレベータの信号伝送装置の提供。【解決手段】エレベータ乗りかご１上に設置されている光空間伝送用送受信装置２は防汚ケース１２にて覆われ、この防汚ケース１２は、任意の側面に透明ラップ１４を取り付けるラップホルダー１３と、その対称面に透明ラップ１４をカットするカッター兼ラップ押え１５、乗りかご側の送受光面上方に水平となるように設置された防汚板１６とを有し、ラップ１４により防汚板１６上面を覆うことができる構成としてある。防汚板１６上面を覆っているラップ１４が汚れた場合には、ラップ１４の汚れた部分を巻き取り、ラップ１４の汚れていない部分で防汚板１６の上面を覆う。【選択図】        図１
2004323119.tif 000002
【特許請求の範囲】
【請求項１】
複数階床を昇降するエレベータ乗りかご上部と、エレベータ乗りかごが昇降する昇降路内上部とにそれぞれ光空間伝送用送受信装置を備えているエレベータにおいて、前記乗りかご上部の光空間伝送用送受信装置の送受光面上方に水平となるように設置される透明部材よりなる防汚板を有する防汚ケースと、前記防汚ケース側面に透明ラップを取り付けるホルダー、その対称面に透明ラップをカットするカッター及び透明ラップを押さえつけるラップ押さえを有し、前記透明ラップにて前記防汚板上面を覆う構造とした防汚装置を設置してあることを特徴とするエレベータの信号伝送装置。
【発明の詳細な説明】
【０００１】
【発明の属する技術分野】
本発明は、エレベータ乗りかごと昇降路上部の光空間伝送用送受信装置を用いて信号の授受を行うエレベータの信号伝送装置に関する。
【０００２】
【従来の技術】
図３は従来のエレベータ光空間伝送装置を示す全体図である。この図３に示すエレベータの乗りかご１の上部には、光空間伝送用送受信装置２、乗りかごガイドレール３をガイドするガイドシュー４とガイドレール３とガイドシュー４の潤滑を良くするために油をガイドレール３に塗布するオイラー５が取り付けられている。乗りかご１内から操作信号や乗りかご内カメラ６で撮影した乗りかご１内の映像信号等を乗りかご１上に設置された光空間伝送用送受信装置２によりエレベータ昇降路７内上部に設置されている光空間伝送用送受信装置８に送信し、そこからケーブルを介して昇降路７上部にある機械室９内に設置してある信号をやりとりするコントローラー１０に信号を伝達する。この際、乗りかご１上に設置されている光空間伝送用送受信装置２は送受光面を上向きに、光空間伝送用送受信装置本体のみ単独で設置されていることが多い。
【０００３】
また、乗りかご上に設置された光空間伝送用送受信装置本体上に重力、又は遠心力、又は風圧を利用して粉塵を取り除く防塵装置が取り付けられているものも知られている。（例えば、特許文献１参照。）。
【０００４】
【特許文献１】
特開昭６１−１８３０７６号公報
（第２頁第４２行〜第３頁第４８行、第２図〜第６図）
【０００５】
【発明が解決しようとする課題】
従来のエレベータの光空間伝送装置は上記の通り構成されているので、昇降路７内に浮遊している粉塵等が乗りかご１上に設置された光空間伝送用送受信装置２の送受光面上に降り積もり、光信号１１の送受信感度が悪化することがあった。
【０００６】
更に、乗りかご１が昇降するたびにオイラー５からガイドレール３に塗布される油が乗りかご１上に設置された光空間伝送用送受信装置２の送受光面上に飛び散り、光信号１１の送受信感度を悪化させ、また、前記の降り積もった粉塵等がその油により送受信装置２送受光面にこびりつき、送受光面の清掃を困難なものとしていた。また、これは前記の特開昭６１−１８３０７６号に記載の防塵装置を取り付けても油に粉塵がこびりつくため、重力、遠心力、風圧では容易に粉塵を取り除けない要因となっている。
【０００７】
本発明は上記問題点を解消するためになされたもので、オイラーからの油が光空間伝送用送受信装置の送受光面に油が飛び散り、昇降路内の粉塵が送受信面にこびりついても簡単に送受光面を清掃でき、これにより光信号の良好な送受信感度を維持することができるエレベータの信号伝送装置を提供することにある。
【０００８】
【課題を解決するための手段】
この目的を達成するために本発明は、複数階床を昇降するエレベータ乗りかご上部と、エレベータ乗りかごが昇降する昇降路内上部とにそれぞれ光空間伝送用送受信装置を備えているエレベータにおいて、前記乗りかご上部の光空間伝送用送受信装置の送受光面上方に水平となるように設置される透明部材よりなる防汚板を有する防汚ケースと、前記防汚ケース側面に透明ラップを取り付けるホルダー、その対称面に透明ラップをカットするカッター及び透明ラップを押さえつけるラップ押さえを有し、前記透明ラップにて前記防汚板上面を覆う構造とした防汚装置を設置する構成とする。
【０００９】
上記の通り構成した発明では、防汚装置が光空間伝送用送受信装置を覆っているため、光空間伝送用送受信装置が直接汚れることがない。また、光空間伝送用送受信装置の送受光面上方にある防汚装置の防汚板上を覆う透明ラップがあるため、ラップが汚れた場合の清掃は、汚れたラップを巻き取り、ケースに装着されている、汚れていない部分のラップを防汚板上面に新たに覆うだけで良い。したがって本発明では、光空間伝送装置の乗りかご側の送受光面が汚れた際の清掃が簡単になる。
【００１０】
【発明の実施の形態】
以下、本発明の信号伝送装置の実施形態を図１及び図２に基づいて説明する。
【００１１】
図１は乗りかご上に設置する信号伝送装置の一実施形態を示す詳細図、図２は本発明の信号伝送装置の一実施形態を示す全体構成図である。図１は乗りかご上に設置する信号伝送装置の一実施形態を示す詳細図である。これらの図において前述した図３に示すものと同じ物は同等の符号で示してある。
【００１２】
乗りかご１より発する信号は、乗りかご１上に設置されている光空間伝送用送受信装置２より光信号１１として送信され、昇降路７内最上部に設置された光空間伝送用送受信装置８にて受信される。この光空間伝送用送受信装置８より機械室９内に設置されている信号をやりとりするコントローラー１０に信号を伝達する。
【００１３】
エレベータ乗りかご１上に設置されている光空間伝送用送受信装置２は防汚ケース１２にて覆われている。この防汚ケース１２は、任意の側面に透明ラップ１４を取り付けるラップホルダー１３とその対称面に透明ラップ１４をカットするカッター兼透明ラップ１４を押さえつけるラップ押さえ１５、乗りかご側の光空間伝送用送受信装置２の送受光面上方に水平となるように設置された透明部材よりなる防汚板１６を有し、前述のラップ１４で防汚板１６上面を覆うことができる構成としてある。防汚板１６上面を覆っているラップ１４が汚れた場合は、ラップ１４の汚れた部分を巻き取り、ラップ１４の汚れていない部分で防汚板１６の上面を覆う。このとき、巻き取ったラップ１４はカッター兼ラップ押え１５にてカットし、防汚ケース１２の側面にカッター兼ラップ押え１５にて押さえつけ、乗りかご昇降時に起こる風でも飛ばないようにする。
【００１４】
以上のように構成した本実施形態によれば、防汚ケース１２に取り付いている防汚板１６上面を覆っているラップ１４を前述の通り使用することにより、従来の取り付け方法より清掃作業を簡単にすることができる。
【００１５】
【発明の効果】
本発明の請求項に係わる発明によれば、乗りかご上に設置された光空間伝送用送受信装置の送受光面が汚れた時、防汚ケースに取り付けられている透明ラップを巻き取り、防汚板上部に貼りなおすだけで良いので、清掃作業を従来に比べて簡単にすることができる。
【図面の簡単な説明】
【図１】本発明のエレベータ乗りかご上に設置する信号伝送装置の一実施形態を示す詳細図である。
【図２】本発明のエレベータの信号伝送装置の一実施形態を示す全体構成図である。
【図３】従来のエレベータ光空間伝送装置を示す全体図である。
【符号の説明】
１  乗りかご
２  かご上光空間伝送用送受信装置
３  かごガイドレール
４  ガイドシュー
５  オイラー
６  乗りかご内撮影用カメラ
７  昇降路
８  昇降路内上部光空間伝送用送受信装置
９  機械室
１０  信号をやりとりするコントローラー
１１  光信号
１２  防汚ケース
１３  透明ラップ
１４  透明ラップホルダー
１５  ラップカッター兼ラップ押さえ
１６  防汚板
【図１】
2004323119.tif 000003
【図２】
2004323119.tif 000004
【図３】
2004323119.tif 000005